(57)【要約】【課題】中間ピン歪補正効率の向上を図った画像歪補正装置を得る。【解決手段】コア４の両端にはマグネット２，３を配置し、マグネット２，３は、マグネット２側はＳ極、マグネット３側はＮ極がそれぞれコア４と接するように同一方向に配置される。コア４には水平補正コイルＬ１及び水平補正コイルＬ２が同時巻きされている。この２つの水平補正コイルＬ１、Ｌ２の巻数は互いに同数に設定される。巻線後に水平補正コイルＬ１，Ｌ２は互いに互いに逆向きの磁界が発生するように直列に接続される。コア４及びマグネット２、３の外周を水平補正コイルＬ１，Ｌ２の巻き方向に覆ったボビン５が設けられ、垂直補正コイルＬ３（Ｌ３ａ，Ｌ３ｂ），Ｌ４（Ｌ４ａ，Ｌ４ｂ）はボビン５を介して水平補正コイルＬ１，Ｌ２上に重ね巻きされる。【選択図】        図２
2004172697.tif 000002
【特許請求の範囲】
【請求項１】
水平偏向電流が流れる水平偏向電流経路上に設けられる第１及び第２の水平補正コイルを備え、前記第１及び第２の水平補正コイルは直列に接続されるとともに、互いに逆向きの磁界が発生するようにコアに対する巻線方向が設定され、
第１の方向に前記磁界をバイアスする磁界バイアス手段と、
垂直偏向電流が流れる垂直偏向電流経路上に設けられ、前記第１の方向と反対の方向である第２の方向で磁界を発生する垂直補正コイルとをさらに備え、前記垂直補正コイルは、前記第１及び第２の水平補正コイルの巻線の外周に沿って重ね巻きされ、
前記第１及び第２の水平補正コイルを、前記コアの回りを互いに同時巻きして設けたことを特徴とする、
画像歪補正装置。
【請求項２】
請求項１記載の画像歪補正装置であって、
前記垂直補正コイルは第１及び第２の垂直補正コイルを含み、
前記第１の垂直補正コイルは第１の極性の前記垂直偏向電流が流れると前記第２の方向で磁界を発生し、前記第２の垂直補正コイルは前記第１の極性と反対の極性である第２の極性の前記垂直偏向電流が流れると前記第２の方向で磁界を発生し、
前記第１及び第２の垂直補正コイルは、前記第１及び第２の水平補正コイルの外周を互いに同時巻きされたコイルを含む、
画像歪補正装置。
【請求項３】
請求項１あるいは請求項２記載の画像歪補正装置であって、前記第１及び第２の補正コイルは互いの形成領域が分割されることなく形成され、
前記垂直補正コイルは複数の形成領域に分割されることなく形成される、
画像歪補正装置。
【発明の詳細な説明】
【０００１】
【発明の属する技術分野】
この発明は、ＣＲＴ（陰極線管）表示装置に用いられる画像歪補正装置に関する。
【０００２】
【従来の技術】
従来、低コスト化及び低消費電力化を図った構造の画像歪補正装置として特許公報１に開示された画像歪補正装置がある。この画像歪補正装置は、第１及び第２の部分コアに第１及び第２の水平補正コイルがそれぞれ巻かれる。この２つの水平補正コイルの巻線方向は互いに逆向きの磁界が発生する方向で巻かれる。第１及び第２の部分コア及び１対のマグネットの外周を第１及び第２の水平補正コイルの巻き方向に覆った絶縁性を有するボビンが設けられ、垂直補正コイルは第１及び第２の水平補正コイルの巻線上を沿って第１及び第２の部分コアを中心とするようにボビン上に巻かれる。すなわち、垂直補正コイルは第１及び第２の水平補正コイルの巻線の外周に沿って、ボビンを介して第１及び第２の水平補正コイル上に重ね巻きされている。この垂直補正コイルは一対のマグネットによって発生するバイアス磁界を打ち消す方向の磁界が発生するような巻線方向で巻かれている。
【０００３】
さらに、特許文献１は、他の態様として、第１及び第２の水平補正コイルそれぞれに対応する第１及び第２の外周領域間において、巻数が略同数に設定される第１及び第２の部分垂直補正コイルに形成領域を分割して垂直補正コイルを構成した構造を開示している。
【０００４】
【特許文献１】
特開２００１−３２０６０１号公報
【０００５】
【発明が解決しようとする課題】
しかしながら、従来の画像歪補正装置は、上記他の態様をもってしても、垂直補正コイルに発生するクロストーク電圧の抑制が不完全であるため、中間ピン歪補正効率を低下させているという問題点があった。
【０００６】
この発明は上記問題点を解決するためになされたもので、中間ピン歪補正効率の向上を図った画像歪補正装置を得ることを目的とする。
【０００７】
【課題を解決するための手段】
この発明に係る請求項１記載の画像歪補正装置は、水平偏向電流が流れる水平偏向電流経路上に設けられる第１及び第２の水平補正コイルを備え、前記第１及び第２の水平補正コイルは直列に接続されるとともに、互いに逆向きの磁界が発生するようにコアに対する巻線方向が設定され、第１の方向に前記磁界をバイアスする磁界バイアス手段と、垂直偏向電流が流れる垂直偏向電流経路上に設けられ、前記第１の方向と反対の方向である第２の方向で磁界を発生する垂直補正コイルとをさらに備え、前記垂直補正コイルは、前記第１及び第２の水平補正コイルの巻線の外周に沿って重ね巻きされ、前記第１及び第２の水平補正コイルを、前記コアの回りを互いに同時巻きして設けている。
【０００８】
【発明の実施の形態】
＜＜実施の形態１＞＞
＜回路構成＞
図１はこの発明の実施の形態１である画像歪補正装置における回路構成を示す回路図である。
【０００９】
同図に示すように、水平偏向電流ＩＨが端子Ｐ１，端子Ｐ２間の水平偏向電流経路を流れており、端子Ｐ１，Ｐ２間に互いに水平偏向コイル２１、水平補正コイルＬ１、及び水平補正コイルＬ２が直列に接続される。水平補正コイルＬ１及び水平補正コイルＬ２はそれぞれコア４に巻かれている。
【００１０】
一方、垂直偏向電流ＩＶが端子Ｐ３，端子Ｐ４間の垂直偏向電流経路を流れており、端子Ｐ３，中間端子Ｐ１１間に垂直偏向コイル２２が設けられる。
【００１１】
中間端子Ｐ１１，端子Ｐ４間に垂直補正コイルＬ３，Ｌ４、ダイオードＤ５，Ｄ６及び抵抗Ｒ２からなる垂直補正部３２が構成される。以下、垂直補正部３２の内部構成について説明する。中間端子Ｐ１１にダイオードＤ５のアノード、ダイオードＤ６のカソード及び抵抗Ｒ２の一端が接続され、ダイオードＤ５のカソードに垂直補正コイルＬ３の一端が接続され、垂直補正コイルＬ３の他端に抵抗Ｒ２の他端及び端子Ｐ４が接続される。端子Ｐ４に垂直補正コイルＬ４の一端が接続され、垂直補正コイルＬ４の他端がダイオードＤ６のアノードに接続される。
【００１２】
このように、中間端子Ｐ１１，端子Ｐ４間に設けられる第１の電流経路（ダイオードＤ５及び垂直補正コイルＬ３が直列に接続される経路）及び第２の電流経路（ダイオードＤ６及び垂直補正コイルＬ４が直列に接続される経路）がそれぞれに対し共有抵抗である抵抗Ｒ２に並列に共通接続される。
【００１３】
そして、垂直補正部３２において、画面の上偏向の場合と下偏向の場合とで電流の流れる垂直補正コイルＬ３，Ｌ４を切り替え、どちらの場合も２つの垂直補正コイルのいずれかより発生する磁界が、マグネット２，３のバイアス磁界を打ち消す向きとなるように構成する。
【００１４】
このような構成の本実施の形態の垂直補正部３２は、単一の垂直補正コイルをダイオードブリッジ等の整流回路と組み合わせて用いる場合に比べて、電流が通過するダイオードの数が減るので、ダイオードのＯＮ抵抗による消費電力を減少させることができる。
【００１５】
＜中間ピン歪補正可飽和リアクタユニットの構造＞
図２は、図１で示した画像歪補正装置における中間ピン歪補正可飽和リアクタユニットの構造を示す断面図である。図３は水平補正コイルＬ１，Ｌ２の巻回状態を示す説明図である。
【００１６】
図２に示すように、コア４の両端にはマグネット２，３を配置し、マグネット２，３は、マグネット２側はＳ極、マグネット３側はＮ極がそれぞれコア４と接するように同一方向に配置される。
【００１７】
図３に示すように、コア４には水平補正コイルＬ１及び水平補正コイルＬ２が同時巻きされている。なお、本明細書において同時巻きとは、コイル形成用の２つの線を互いに隣接した状態でコア４の回りを同時巻いて２つのコイルを設けることを意味する。
【００１８】
この２つの水平補正コイルＬ１、Ｌ２の巻数は互いに同数に設定される。巻線後に水平補正コイルＬ１，Ｌ２は図１に示すように、互いに互いに逆向きの（打ち消す方向の）磁界が発生するように直列に接続される。例えば、水平補正コイルＬ１，Ｌ２の磁界の発生する向きを基板上の回路配線によって制御すればよい。
【００１９】
コア４及びマグネット２、３の外周を水平補正コイルＬ１，Ｌ２の巻き方向に覆った例えば円筒状のボビン５が設けられ、ボビン５は絶縁性を有している。ボビン５の両端の鍔（つば）部５ａ、５ｂとの中間部に垂直補正コイルの巻数制御用の鍔部５ｃをさらに設けている。鍔部５ｃは、ボビン５と一体で構成されていてもよいし、別部材としてボビン５に組み込む構成となっていてもよい。鍔部５ｃの位置は、コア４の中心部近傍と一致している。
【００２０】
垂直補正コイルＬ３はこの鍔部５ｃによって仕切られた２つの部分コイルＬ３ａ，Ｌ３ｂの直列接続で構成され、垂直補正コイルＬ４は鍔部５ｃによって仕切られた２つの部分コイルＬ４ａ，Ｌ４ｂの直列接続で構成される。
【００２１】
部分垂直補正コイルＬ３ａ，Ｌ４ａは鍔部５ａ，５ｃ間の第１の外周領域上に同時巻きされており、部分垂直補正コイルＬ３ｂ，Ｌ４ｂは鍔部５ｂ，５ｃ間の第２の外周領域上に同時巻きされている。そして、部分垂直補正コイルＬ３ａ及びＬ３ｂはそれぞれ同方向に巻かれており、それぞれの巻数は略同一であり、部分垂直補正コイルＬ４ａ及びＬ４ｂはそれぞれ同方向に巻かれており、それぞれの巻数は略同一である。
【００２２】
このように、垂直補正コイルＬ３，Ｌ４は水平補正コイルＬ１，Ｌ２の巻線の外周に沿って、ボビン５を介して水平補正コイルＬ１，Ｌ２上に重ね巻きされている。この垂直補正コイルＬ３，Ｌ４は、マグネット２，３によって発生するバイアス磁界を打ち消す方向の磁界が発生するような巻線方向で巻かれている。例えば、垂直補正コイルＬ３、Ｌ４の磁界の発生する向きを基板上の回路配線によって制御すればよい。
【００２３】
また、ボビン５の一部の外側に略コの字形状のヨーク板９を閉磁用部材としてさらに設けている。
【００２４】
このように、図２に示される中間ピン歪補正可飽和リアクタユニット１の等価回路が、図１に示した中間ピン歪補正可飽和リアクタユニット１である。この中間ピン歪補正可飽和リアクタユニット１を使用して、後に詳述するように画面の左右に生じる中間ピン歪を補正することができる。
【００２５】
本実施の形態の画像歪補正装置では、中間ピン歪補正可飽和リアクタユニット１において、水平補正コイルＬ１、Ｌ２を同時巻きした点を特徴としている。
【００２６】
なお、水平補正コイルＬ１，Ｌ２及び垂直補正コイルＬ３（Ｌ４）の各巻線自体が十分に絶縁されておれば、水平補正コイルＬ１、Ｌ２に直接垂直補正コイルＬ３（Ｌ４）を直接重ね巻きしても良い。
【００２７】
＜動作＞
このように、実施の形態１の画像歪補正装置は、中間ピン歪補正可飽和リアクタユニット１と垂直補正部３２とで画像歪補正回路を構成する。以下、実施の形態１の画像歪補正装置の動作について説明する。
【００２８】
図４は水平補正コイルのインダクタンス−アンペアターン特性を示すグラフである。図４において、縦軸は水平補正コイルのインダクタンス、横軸はアンペアターンまたは外部磁界を示す。同図に示すように、水平補正コイルのインダクタンスは、アンペアターンが小さい状態では大きく、アンペアターンが大きくなるに従って小さくなっていき、ある値以上のアンペアターン（飽和状態）ではほぼ一定の小さな値をとる。
【００２９】
以下の説明上、２つの水平補正コイルＬ１，Ｌ２は相互インダクタンスが無視できるものとし、２つの水平補正コイルＬ１，Ｌ２の合成インダクタンスＬｓは、それぞれのコイルのインダクタンスＬ１，Ｌ２の和で表され、「Ｌｓ＝Ｌ１＋Ｌ２」とする。
【００３０】
以下、画面上の表示位置と対応させて、水平補正コイルの合成インダクタンスＬｓの変化を説明する。図５に画面上の各表示位置に付した記号と実際の表示位置との対応を示す。図において、画面の水平軸をＸ軸、垂直軸をＹ軸としている。
【００３１】
なお、２つの水平補正コイルＬ１，Ｌ２に印加される水平偏向電流ＩＨは１水平周期毎に与えられるＳ字補正された鋸歯状波電流であり、垂直補正コイルＬ３，Ｌ４に印加される垂直偏向電流ＩＶは垂直周期毎に与えられる鋸歯状波電流を、２つのダイオードＤ５，Ｄ６と１つの抵抗Ｒ１により同極性に整流した電流である。
【００３２】
表示位置Ｏ（画面中央）では、水平補正コイルＬ１，Ｌ２、垂直補正コイルＬ３（Ｌ４）のいずれにも電流が流れない。したがって水平補正コイルＬ１，Ｌ２に作用する磁界は、マグネット２，３によるバイアス磁界Ｍ０のみである。このとき水平補正コイルＬ１、Ｌ２はともに飽和状態になるように設定されており、合成インダクタンスＬｓは小さくなる。
【００３３】
表示位置Ｔ（Ｙ軸上端）あるいは表示位置Ｂ（Ｙ軸下端）では、水平補正コイルＬ１、Ｌ２には電流が流れず、垂直補正コイルＬ３（Ｌ４）のみに電流が流れる。垂直補正コイルＬ３（Ｌ４）が発生する磁界は、マグネット２，３のバイアス磁界Ｍ０を打ち消すので、水平補正コイルＬ１、Ｌ２それぞれの飽和状態が解消される。したがって、水平補正コイルＬ１、Ｌ２のインダクタンスは大きくなり、それらの合成インダクタンスＬｓも大きくなる。
【００３４】
図６に示すように、表示位置Ｌ（Ｘ軸左端）では、水平補正コイルＬ１，Ｌ２に電流が流れ、垂直補正コイルＬ３（Ｌ４）には電流が流れない。この場合、水平補正コイルＬ１が発生する磁界Ｍ１は、マグネット２，３によるバイアス磁界Ｍ０を打ち消す向きであるので、水平補正コイルＬ１の飽和状態が解消され、インダクタンスＬ１が大きくなる。一方、水平補正コイルＬ２が発生する磁界Ｍ２は、マグネット２，３によるバイアス磁界Ｍ０と同方向であるため、水平補正コイルＬ２は飽和状態のままであり、インダクタンスＬ２は小さい。したがって、合成インダクタンスＬｓはＬ１の増加分だけ大きくなる。
【００３５】
図７に示すように、表示位置Ｒ（Ｘ軸右端）は表示位置Ｌの場合と逆の状態となり、水平補正コイルＬ１は飽和状態のままでありインダクタンスは小さい、一方、水平補正コイルＬ２は飽和状態が解消されるため、インダクタンスＬ２が大きくなる。したがって、合成インダクタンスはＬ２の増加分だけ大きくなる。
【００３６】
図８に示すように、表示位置ＴＬ（画面左上隅）あるいは表示位置ＢＬ（画面左下隅）の場合は、表示位置Ｔまたは表示位置Ｂの場合（以下、Ｙ軸端）に表示位置Ｌの場合が重なったものと考えることができる。この場合、水平補正コイルＬ１は、それ自身が発生する磁界Ｍ１と垂直コイルＬ３（Ｌ４）が発生する磁界Ｍ３（Ｍ４）とが同じ向きであるため、Ｙ軸端の状態に比べてより飽和状態の解消が進む。したがって、水平補正コイルＬ１のインダクタンスＬ１は、Ｙ軸端に比べてより大きくなる。一方、水平補正コイルＬ２は、それ自身が発生する磁界Ｍ２が垂直コイルＬ３が発生する磁界Ｍ３と逆向きであるため、Ｙ軸端の状態に比べて飽和状態に近づく。したがって、水平補正コイルＬ２のインダクタンスＬ２は、Ｙ軸端に比べて小さくなる。合成インダクタンスＬｓは２つのコイルのインダクタンスＬ１、Ｌ２のＹ軸端との変化量の差で決まるが、通常、Ｙ軸端に比べて、同じか小さくなる。
【００３７】
図９に示すように、表示位置ＴＲ（画面右上隅）あるいは表示位置ＢＲ（画面右下隅）は、Ｙ軸端の場合に表示位置Ｒの場合が重なったものであると考えることができる。この場合、水平補正コイルＬ１はＹ軸端の状態に比べて飽和状態に近づくため、インダクタンスＬ１はＹ軸端に比べて小さくなり、水平補正コイルＬ２はＹ軸端の状態に比べて飽和状態の解消が進むため、インダクタンスＬ２はＹ軸端に比べて大きくなる。合成インダクタンスは、Ｙ軸端に比べて、同じか小さくなる。
【００３８】
図１０は画面表示位置に対する水平補正コイルの合成インダクタンス変化を示す説明図である。同図において、縦軸に合成インダクタンスＬｓ、横軸に水平偏向電流ＩＨをとっている。２つの曲線のうち、曲線ＬＣ１が画面上下端部の横線に対応する合成インダクタンスＬｓの変化を、曲線ＬＣ２が画面中央部の横線に対応する合成インダクタンスＬｓの変化を表している。グラフ上の各点に対応する画面上の表示位置を示す記号は図５と同じに示している。
【００３９】
図１０から分かるように、画面上下端部では、合成インダクタンスＬｓは、Ｙ軸端が最も大きく、画面隅部に近づくほど小さくなっている。一方、画面中央部では、合成インダクタンスＬｓは、画面中央が最も小さく、Ｘ軸端に近づくほど大きくなっている。
【００４０】
したがって、水平補正コイルの合成インダクタンスＬｓが画面上下端部では大きく、画面中央部では小さくなるので、Ｓ字補正量を画面上下端部では小さく、画面中央部では大きくでき、中間ピン歪を補正できる。
【００４１】
さらに、合成インダクタンスＬｓの水平偏向電流ＩＨに対する変化により、中間ピン歪補正効果を増長することができる。すなわち、画面上下端部では、水平補正コイルの合成インダクタンスＬｓは、水平方向の中間部で大きく周辺部で小さくなるので、水平方向の振幅は、相対的に、中間部で縮み周辺部で伸びる（すなわち端伸）。
【００４２】
一方、画面中央部では、水平補正コイルの合成インダクタンスＬｓは、水平方向の中間部で小さく周辺部で大きくなるので、水平方向の振幅は、相対的に、中間部で伸び周辺部で縮む（すなわち中伸）。
【００４３】
＜効果＞
水平補正コイルＬ１，Ｌ２をコア４の巻き溝に同時巻線することにより、中間ピン歪補正可飽和リアクタユニット１で使用するコア４が１つで済むため、２つの部分コアからなる特許文献１等の従来例に比べ、装置コストの低減化が可能となる。加えて、巻線作業も一度で済ますことができるため、製造作業効率も向上する。
【００４４】
さらに、水平補正コイルＬ１，Ｌ２の同時巻きによって２つの水平補正コイルＬ１，Ｌ２がほぼ同じ経路で巻線されるため、巻線による水平補正コイルＬ１，Ｌ２間のインピーダンスのバラツキを効果的に抑えることができる。加えて、水平補正コイルＬ１，Ｌ２は同一コア上に巻線されるため、２つの部分コアに水平補正コイルＬ１，Ｌ２をそれぞれ個別に巻線する場合にようなコア形状のバラツキ等により水平補正コイルＬ１，Ｌ２間のインピーダンスのバラツキが発生することもない。
【００４５】
このように、水平補正コイルＬ１，Ｌ２を同時巻きすることにより、水平補正コイルＬ１，Ｌ２間のインピーダンスのアンバランスを低減することができ、水平補正コイルＬ１，Ｌ２間のインピーダンスを等しくすることができる。
【００４６】
一方、水平補正コイルＬ１によって垂直補正コイルＬ３（Ｌ４）に生じするクロストーク電圧と、水平補正コイルＬ２によって垂直補正コイルＬ３（Ｌ４）に生じるクロストーク電圧の極性は互いに逆であり、その絶対値は水平補正コイルＬ１，Ｌ２のインピーダンスに比例する。
【００４７】
すなわち、垂直補正コイルＬ３（Ｌ４）に生じるクロストーク電圧の低減のためには、特許文献１等の従来例では無視されていた水平補正コイルＬ１，Ｌ２間のインピーダンスのバラツキの低減化を重視する必要がある。
【００４８】
実施の形態１の画像歪補正装置は、水平補正コイルＬ１，Ｌ２を同時巻きすることにより、水平補正コイルＬ１，Ｌ２間でインピーダンスを等しくすることができるため、水平補正コイルＬ１及びＬ２よって垂直補正コイルＬ３（Ｌ４）に生じるそれぞれのクロストーク電圧は極性が逆で絶対値が等しくなる。
【００４９】
その結果、水平補正コイルの発生する磁界の変化によって垂直補正コイル全体に生じる（誘導）クロストーク電圧を効果的に抑制することができるため、垂直補正部３２内では、クロストーク電流はほとんど流れなくなるという効果を奏する。
【００５０】
このように、実施の形態１の画像歪補正装置は、垂直補正部３２を流れる水平周期（水平補正コイルＬ１，Ｌ２による）のクロストーク電流を抑制することができるため、中間ピン歪補正可飽和リアクタユニット１は中間ピン歪の補正精度の向上を図ることができる。加えて、垂直補正部３２にクロストーク電流が流れることによる発熱を効果的に抑制することができる。
【００５１】
加えて、実施の形態１では、垂直補正コイルＬ３（Ｌ３ａ，Ｌ３ｂ），Ｌ４（Ｌ４ａ，Ｌ４ｂ）の同時巻きにより、２つの垂直補正コイルＬ３，Ｌ４がほぼ同じ経路で巻回されるので、垂直補正コイルＬ３，Ｌ４間のインピーダンスのバラツキを抑えることができる。また、巻線作業も１度で済ますことができる。
【００５２】
＜＜実施の形態２＞＞
＜原理＞
実施の形態１では、垂直補正コイルＬ３を垂直補正コイルＬ３ａ及びＬ３ｂに、垂直補正コイルＬ４を垂直補正コイルＬ４ａ及びＬ４ｂにそれぞれ形成領域を分割して形成した例を示したが、水平補正コイルＬ１及びＬ２が互いの形成領域が分割されることなく同時巻きで形成されているため、必ずしもその必要はない。
【００５３】
そこで、実施の形態２として、垂直補正コイルＬ３及びＬ４を複数の形成領域に分割されることなく形成した構造を示す。
【００５４】
＜中間ピン歪補正可飽和リアクタユニットの構造＞
図１１はこの発明の実施の形態２である画像歪補正装置における中間ピン歪補正可飽和リアクタユニットの構造を示す断面図である。なお、画像歪補正装置の回路構成は図１で示した実施の形態１の回路構成と同様である。
【００５５】
同図に示すように、実施の形態１で用いられていたボビン５に代わってボビン６が設けられている。ボビン６の両端の鍔部６ａ、６ｂ間の外周領域上に垂直補正コイルＬ３，Ｌ４が同時巻きされている。なお、他の構成は図２で示した実施の形態１と同様である。
【００５６】
このように、実施の形態２では、垂直補正コイルＬ３及びＬ４を複数の形成領域に分割することなく形成している。
【００５７】
なお、水平補正コイルＬ１，Ｌ２及び垂直補正コイルＬ３（Ｌ４）の各巻線自体が十分に絶縁されておれば、水平補正コイルＬ１、Ｌ２に直接垂直補正コイルＬ３（Ｌ４）を直接重ね巻きしても良い。
【００５８】
＜効果＞
実施の形態２は、水平補正コイルＬ１，Ｌ２を同時巻きすることにより、実施の形態１と同様の効果を奏する。加えて、両端に鍔部６ａ，６ｂのみを有するボビン６を用いることにより、実施の形態１のボビン５に比べて、ボビン形状を簡略化することにより装置コストの低減化を図ることができる。
【００５９】
【発明の効果】
以上説明したように、この発明における請求項１記載に画像歪補正装置は、第１及び第２の水平補正コイルを、コアの回りを互いに同時巻きして設けることにより、第１及び第２の水平補正コイルがほぼ同じ経路で巻線されるため、巻線による第１及び第２の水平補正コイル間のインピーダンスのバラツキを抑え、第１及び第２の水平補正コイル間でインピーダンスを等しくすることができる。
【００６０】
一方、第１の水平補正コイルによって垂直補正コイルに生じするクロストーク電圧と、第２の水平補正コイルによって垂直補正コイルに生じるクロストーク電圧の極性は互いに逆であり、その絶対値は第１及び第２の水平補正コイルそれぞれのインピーダンスに比例する。
【００６１】
したがって、請求項１記載の本願発明は、第１及び第２の水平補正コイルを同時巻きすることにより、第１及び第２の水平補正コイル間でインピーダンスを等しくすることができるため、第１及び第２の水平補正コイルの影響で発生する垂直補正コイルのクロストーク電圧を等しくすることができる。
【００６２】
その結果、水平補正コイルの発生する磁界の変化によって垂直補正コイルに生じるクロストーク電圧を効果的に抑制することができるため、中間ピン歪の補正精度の向上を図ることができる。
【図面の簡単な説明】
【図１】この発明の実施の形態１である画像歪補正装置における回路構成を示す回路図である。
【図２】図１で示した画像歪補正装置における中間ピン歪補正可飽和リアクタユニットの構造を示す断面図である。
【図３】水平補正コイルの巻回状態を示す説明図である。
【図４】水平補正コイルのインダクタンス−アンペアターン特性を示すグラフである。
【図５】画面上の各表示位置に付した記号と実際の表示位置との対応を示す説明図である。
【図６】画面左における中間ピン歪補正可飽和リアクタユニットの磁界を示す説明図である。
【図７】画面右における中間ピン歪補正可飽和リアクタユニットの磁界を示す説明図である。
【図８】画面左上端，左下端における中間ピン歪補正可飽和リアクタユニットの磁界を示す説明図である。
【図９】画面右上端，右下端における中間ピン歪補正可飽和リアクタユニットの磁界を示す説明図である。
【図１０】画面表示位置に対する水平補正コイルの合成インダクタンス変化を示す説明図である。
【図１１】この発明の実施の形態２である画像歪補正装置における中間ピン歪補正可飽和リアクタユニットの構造を示す断面図である。
【符号の説明】
１  中間ピン歪補正可飽和リアクタユニット、２，３  マグネット、４  コア、５，６  ボビン、３２  垂直補正部、Ｌ１，Ｌ２  水平補正コイル、Ｌ３，Ｌ４  垂直補正コイル、Ｌ３ａ，Ｌ３ｂ，Ｌ４ａ，Ｌ４ｂ  部分垂直補正コイル。
【図１】
2004172697.tif 000003
【図２】
2004172697.tif 000004
【図３】
2004172697.tif 000005
【図４】
2004172697.tif 000006
【図５】
2004172697.tif 000007
【図６】
2004172697.tif 000008
【図７】
2004172697.tif 000009
【図８】
2004172697.tif 000010
【図９】
2004172697.tif 000011
【図１０】
2004172697.tif 000012
【図１１】
2004172697.tif 000013